(57)【要約】    【課題】  二重管削進方式によって軟弱地盤に管を推進するにあたり、容易に地盤改良を行えるようにした薬剤注入装置を提供する。    【解決手段】  立坑(30)内に設置される設置ベース(11)と、設置ベース上にスライド自在に搭載され、ジャッキによって前進・後退するスライダー装置(12)と、設置ベースに着脱可能に固定される架台ベース(21)と、架台ベース上に設けられ、スライダー装置のスライド方向に延びるスライドガイド(24)と、スライドガイドにスライド自在に支持され、薬剤注入管(27)を把持し、スライダー装置によって前進されて薬剤注入管を土中に水平に押し込むチャック装置(25,26)と、薬剤を薬剤注入管内に導入する薬剤導入部(28)と、を設ける。【選択図】  図４
2008150915.tif 000002
【特許請求の範囲】
【請求項１】
地盤に水平に薬剤を注入するようにした薬剤注入装置であって、
地盤に薬剤を注入するための薬剤注入管と、
立坑内に設置される設置ベースと、
該設置ベース上にスライド自在に搭載され、ジャッキによって前進・後退するスライダー装置と、
上記設置ベースのスライダー装置前方に着脱可能に固定される架台ベースと、  該架台ベース上に設けられ、上記スライダー装置のスライド方向に延びるスライドガイドと、
該スライドガイドにスライド自在に支持され、水平に延びる上記薬剤注入管を把持し、上記スライダー装置によって前進されることによって上記薬剤注入管を土中に水平に押し込むチャック装置と、
圧送されてきた薬剤を上記薬剤注入管内に導入する薬剤導入部と、
を備えたことを特徴とする薬剤注入装置。
【請求項２】
上記設置ベースは、ケーシングロッドを推進機本体によって回転させながら推進ジャッキによって前進させケーシングロッド先端の切削ビットによって土砂類を掘削しながら推進管を推進させるようにした二重管削進方式の管推進装置における上記推進機本体をスライド自在に支持するスライドベースであり、
上記スライダー装置が上記推進機本体であり、
上記管推進装置のケーシングロッド及び推進管に代えて上記管推進装置に搭載可能に構成されている請求項１記載の薬剤注入装置。
【請求項３】
上記チャック装置が上記薬剤注入管の途中を把持する一方、上記薬剤導入部が上記スライダー装置に設けられ、上記薬剤注入管の後端を受けるようになっている請求項１記載の薬剤注入装置。
【発明の詳細な説明】
【技術分野】
【０００１】
本発明は薬剤注入装置に関し、特に二重管削進方式によって管を推進するにあたり軟弱地盤に凝固剤を円滑に注入できるようにした装置に関する。
【背景技術】
【０００２】
最近、地中に上下水道管などの管を敷設する場合、管を推進させて地中に敷設する管推進工法が採用されることが多くなった。この管推進工法には種々の方式があるが、小口径の管を敷設する場合には二重管削進方式がよく採用されている（特許文献１、特許文献２）。
【０００３】
二重管削進方式の管推進装置は基本的にはスライドベース、推進機本体、推進ジャッキ、ケーシングロッド（内管）及び推進管（鋼管）から構成され、スライドベースには推進機本体がスライド自在に搭載されるとともに推進ジャッキが設けられ、推進ジャッキによって推進機本体が前進されるようになっている。
【０００４】
また、推進機本体の押金には推進管の基部が嵌め込まれ、推進管内にはケーシングロッドが回転自在に組込まれ、ケーシングロッドの基部を推進機本体のスピンドルロッドに取付け、スピンドルロッドを駆動モータで駆動してケーシングロッドを回転させ、ケーシングロッド先端の切削ビットによって前方を掘削し、掘削土砂をケーシングロッド内に取込み、後方に排土するようになっている。
【０００５】
推進管の推進が完了すると、ケーシングロッドを抜き取り、塩化ビニル管等を推進管内にセットし、推進管と塩化ビニル管等との間に充填剤等の中込め作業を行ない、２重構造の管を敷設することができる。
【０００６】
上述の二重管削進方式は普通土から、玉石、転石混り土、岩盤まで、適用できる土質の範囲が広く、既設マンホールや既設シールドトンネル等へ直接到達させることができ、２重管構造であるので漏水が少ないなどの特徴を有する。
【０００７】
しかし、砂地等、軟弱地盤において管の推進作業を行う場合、推進管廻りの土砂が大きく崩れてケーシングロッド内に取込まれてしまい、道路の陥没等が懸念される。
【０００８】
これに対し、軟弱地盤に凝固剤を注入して地盤を改良することが行われている（特許文献３、特許文献４）。
【０００９】
【特許文献１】特開２００６−２１９９２０号公報
【特許文献２】特開２００３−２３９６８５号公報
【特許文献３】特許第３１２４０６５号公報
【特許文献４】特公昭５７−３０９５９号公報
【発明の開示】
【発明が解決しようとする課題】
【００１０】
しかし、従来の二重管削進方式の管推進装置では凝固剤などの薬剤を地盤に注入するのに適した装置がなく、地盤改良が非常に煩わしいという問題があった。                           
【００１１】
本発明はかかる点に鑑み、二重管削進方式によって軟弱地盤に管を推進するにあたり、容易に地盤改良を行えるようにした薬剤注入装置を提供することを課題とする。
【課題を解決するための手段】
【００１２】
そこで、本発明に係る薬剤注入装置は、地盤に水平に薬剤を注入するようにした薬剤注入装置であって、地盤に薬剤を注入するための薬剤注入管と、立坑内に設置される設置ベースと、該設置ベース上にスライド自在に搭載され、ジャッキによって前進・後退するスライダー装置と、上記設置ベースのスライダー装置前方に着脱可能に固定される架台ベースと、該架台ベース上に設けられ、上記スライダー装置のスライド方向に延びるスライドガイドと、該スライドガイドにスライド自在に支持され、水平に延びる上記薬剤注入管を把持し、上記スライダー装置によって前進されることによって上記薬剤注入管を土中に水平に押し込むチャック装置と、圧送されてきた薬剤を上記薬剤注入管内に導入する薬剤導入部と、を備えたことを特徴とする。
【００１３】
本発明の特徴の１つは立坑内に設置ベースを設置し、設置ベースにスライダー装置とチャック装置をスライド自在に搭載し、チャック装置によって薬剤注入管を把持し、スライダー装置によってチャック装置を前進させて薬剤注入管を地盤に押し込み、薬剤導入部から薬剤注入管に薬剤を導入し、地盤に薬剤を注入できるようにした点にある。これにより、地盤に水平に薬剤を注入できるので、地盤改良を容易に行うことができる。
【００１４】
薬剤注入装置の構造のうち、設置ベース及びスライダー装置は二重管削進方式の管推進装置におけるスライドベース及び推進機本体を利用して構成することができる。その場合には薬剤注入装置を立坑内に設置し、薬剤を注入した後、架台ベースとチャック装置を取外し、ケーシングロッド及び推進管をセットすることによって管の推進作業を行うことができる。
【００１５】
架台ベースは設置ベースに固定でき、しかもスライドガイドを設けることができれば特に形状は限定されず、下記の実施形態に示されるようにプレート状の架台ベースを採用することができる。
【００１６】
スライドガイドはチャック装置をスライド自在に支持できればよく、チャック装置の車輪が嵌まり込む凹溝に形成してもよく、又チャック装置のガイドローラが摺接するガイドレールの方式とすることもできる。
【００１７】
チャック装置は薬剤注入管を把持できればどのような機構でもよく、例えば複数のチャック爪を前進させて薬剤注入管を把持する一般的な機構を採用することができる。
【００１８】
薬剤導入部は圧送されてきた薬剤を薬剤注入管内に導入することができれば特に構造は限定されず、例えば下記の実施形態に示されるように、薬剤注入管の後端が嵌合する嵌合部と薬剤注入管内に薬剤を導入する導入部とから構成されることができる。この場合、チャック機構には薬剤注入管の途中を把持させる。
【００１９】
二重管削進方式の管推進装置におけるスライドベース、推進機本体、推進ジャッキ及び推進管については従来公知の推進装置と同様である。
【発明を実施するための最良の形態】
【００２０】
以下、本発明を図面に示す具体例に基づいて詳細に説明する。図１ないし図４は本発明に係る薬剤注入装置の好ましい実施形態が搭載される二重管削進方式の管推進装置の１例を示す。管推進装置１０ではスライドベース１１上に推進機本体（スライダー装置）１２が前後スライド自在に搭載され、該推進機本体１２は推進ジャッキによってスライドベース（設置ベース）１１上を前進され後退されるようになっている。
【００２１】
また、推進機本体１２には駆動モータ１３が搭載されるとともに、スピンドルロッド（図示せず）が設けられ、該スピンドルロッドと駆動モータ１３との間にはギア伝達機構が設けられ、又スピンドルロッドにはケーシングロッド１４の基部が取付けられるようになっている。
【００２２】
さらに、推進機本体１２には押金１５が取付けられ、該押金１５には推進管１６の基部が嵌め込まれるようになっている。この推進管１６内にはケーシングロッド１４が回転自在に組込まれ、両者の間には周方向に延びるローラベアリング（図示せず）が介設されてケーシングロッド１４の円滑な回転及び真直性を保証するようになっている。
【００２３】
ケーシングロッド１４の先端には切削ビット１７が取付けられ、該切削ビット１７の先端面には複数の切削刃１７Ａが周方向に所定の等角度間隔をあけて取付けられている。
【００２４】
以上のような構成の管推進装置１０において、スライドベース１１の両側部１１Ａの間にはベースプレート（架台ベース）２１が搭載され、ベースプレート２１はボルト２２とブラケット２３によってスライドベース１１の両側部１１Ａに抱きつくようにして取外し可能に固定されている。
【００２５】
このベースプレート２１上には左右のガイドレール（スライドガイド）２４が前後方向に延びて固定され、ガイドレール２４上には台車２５がスライド自在に支持され、台車２５上にはチャック機構２６が搭載され、チャック機構２６は駆動モータ２６Ａによって薬剤注入管２７の途中を把持し解放し得るように構成され、台車２５とチャック機構２６とによってチャック装置が構成されている。
【００２６】
台車２５は推進機本体１２の連結部１２Ａとロッド２９によって連結され、推進ジャッキによって前進され後退されるようになっている。また、推進機本体１２には薬剤導入パイプ（薬剤導入部）２８が設けられ、薬剤導入パイプ２８の先端には薬剤注入管２７の後端を受ける受け部２８Ａが形成され、薬剤導入パイプ２８は外部から圧送されてきた薬剤を薬剤注入管２７に導入して前方の地盤に注入させるようになっており、以上のようにして薬剤注入装置２０が構成されている。
【００２７】
推進管１６を推進するにあたり、地盤、例えば軟弱地盤を改良する場合、管推進装置１０のスライドベース１１に薬剤注入装置２０をセットする。即ち、スライドベース１１上にチャック機構２６及び台車２５が搭載されたベースプレート２１を搭載し、ボルト２２とブラケット２３とによってベースプレート２１をスライドベース１１の両側部１１Ａに固定する。
【００２８】
次に、この管推進装置１０を立坑３０内に降ろし、管を推進させるべき方向に向けて設置し、移動しないように固定する。その後、薬剤注入管２７をチャック機構２６に通し、薬剤注入管２７の後端を薬剤導入パイプ２８の受け部２８Ａに当接させ、駆動モータ２６Ａによってチャック機構２６を作動させて薬剤注入管２７を把持させる。
【００２９】
こうして準備ができると、推進ジャッキによって推進機本体１２を前進させると、台車２５が前進して薬剤注入管２７を前方の地盤に押し込む。台車２５が所定の距離だけ進むと、チャック機構２６による把持を解放し、台車２５を後退させ、次の薬剤注入管２７を立坑３０内に降ろし、チャック機構２６を通し、後端を薬剤導入パイプ２８の受け部２８Ａに当接させるととに、先端を地盤に押し込んだ薬剤注入管２７の後端に連結し、その状態で薬剤注入管２７を把持し、上記と同様にして薬剤注入管２７を前方の地盤に押し込む。このような作業を繰り返し、薬剤注入管２７を地盤中に押し込んだ後、薬剤、例えば公知の凝固剤を薬剤注入管２７内に導入し、地盤に注入して地盤の改良を行う。
【００３０】
地盤の改良が済むと、チャック機構２６によって薬剤注入管２７を把持したまま推進ジャッキによって台車２５を後退させ、薬剤注入管２７を抜き出した後、薬剤注入装置２０をスライドベース１１から外して立坑３０外に吊り上げ、後は推進機本体１２にケーシングロッド１４及び推進管１６をセットし、推進管１６を推進させることができる。
【００３１】
発進立坑３０と到達立坑との間に距離がある場合にはケーシングロッド１４及び推進管１６を残して推進機本体１２を後退させ、後続のケーシングロッド１４及び推進管１６を推進機本体１２にセットし、同様にして推進を継続する。
【００３２】
推進管１６の推進が済むと、ケーシングロッド１４を推進管１６から抜き取り、スライドベース１１及び推進機本体１２を発進立坑３０から引き上げ、残った推進管１６内に塩化ビニルパイプ等を挿入し、中込め作業を行うと、二重管を地中に敷設することができる。
【００３３】
なお、上記の例では二重管削進方式の管推進装置を利用して薬剤注入装置を構成したが、専用の薬剤注入装置として構成し、地盤への薬剤の注入が済むと、立坑から吊り上げ、管推進装置を立坑内に設置するようにしてもよい。
【図面の簡単な説明】
【００３４】
【図１】本発明に係る薬剤注入装置が搭載される二重管削進方式の管推進装置の例を示す全体概略斜視図である。
【図２】上記薬剤注入装置の好ましい実施形態をを示す側面図である。
【図３】上記実施形態を示す正面図である。
【図４】上記実施形態の使用状態を示す平面図である。
【符号の説明】
【００３５】
１０  二重管削進方式の管推進装置
１１  スライドベース（設置ベース）
１２  推進機本体（スライダー装置）
１４  ケーシングロッド１４
１６  推進管
２０  薬剤注入装置
２１  ベースプレート（架台ベース）
２４  ガイドレール（スライドガイド）
２５  台車（チャック装置）
２６  チャック機構（チャック装置）
２７  薬剤注入管
２８  薬剤導入パイプ
２８Ａ  受け部
３０  立坑
【図１】
2008150915.tif 000003
【図２】
2008150915.tif 000004
【図３】
2008150915.tif 000005
【図４】
2008150915.tif 000006